(57)【要約】【課題】円錐プリズムの頂点部分に割れや欠けが発生するのを防止することが可能で、円錐プリズムの光均一化機能を維持しつつ、円錐プリズムの製造コストを下げることが容易な照明装置を提供する。【解決手段】ＬＤ光源１０と、頂部２２が光入射側に位置するように配置され、ＬＤ光源１０からの光をより均一な強度分布を有する光に変換する円錐プリズム２０とを備える照明装置１００。円錐プリズム２０の頂部２２は、頂点部分が略平面状にカットされた形状を有し、頂部２２における光入射側の近傍には、ＬＤ光源１０からの光を屈折して所定の角度をもって円錐プリズム２０に入射させる機能を有する微小光学素子としての凸レンズ２４が配置されている。【選択図】図１
2008015298.tif 000002
【特許請求の範囲】
【請求項１】
固体光源と、
頂部が光入射側に位置するように配置され、前記固体光源からの光をより均一な強度分布を有する光に変換する円錐プリズムとを備え、
前記円錐プリズムの頂部は、頂点部分が略平面状にカットされた形状を有し、
前記頂部における光入射側の近傍には、前記固体光源からの光を屈折して所定の角度をもって前記円錐プリズムに入射させる機能を有する微小光学素子が配置されていることを特徴とする照明装置。
【請求項２】
請求項１に記載の照明装置において、
前記微小光学素子における光射出面の面積は、前記頂部における光入射面の面積以上の大きさであることを特徴とする照明装置。
【請求項３】
請求項１又は２に記載の照明装置において、
前記微小光学素子は、凸レンズ、凹レンズ及びプリズムのうちいずれかであることを特徴とする照明装置。
【請求項４】
請求項１〜３のいずれかに記載の照明装置において、
前記微小光学素子は、前記円錐プリズムの頂部に接着されていることを特徴とする照明装置。
【請求項５】
請求項１〜４のいずれかに記載の照明装置において、
前記円錐プリズムの光射出側に配置され、前記円錐プリズムからの光をより均一な強度分布を有する光に変換する導光部材をさらに備えることを特徴とする照明装置。
【請求項６】
請求項１〜５のいずれかに記載の照明装置において、
前記円錐プリズムの光射出側に配置され、前記円錐プリズムからの光をさらに均一な強度分布を有する光に変換する光均一化光学素子をさらに備えることを特徴とする照明装置。
【請求項７】
請求項６に記載の照明装置において、
前記光均一化光学素子は、前記円錐プリズムから射出される光の面内光強度分布に応じて光透過率が調整された光透過率調整部材又は前記円錐プリズムから射出される光を拡散させる光拡散部材であることを特徴とする照明装置。
【請求項８】
請求項１〜７のいずれかに記載の照明装置において、
前記固体光源は、ＬＤ光源であり、
光路中に配置されるいずれかの光学要素に配設され、前記光学要素に対して超音波からなる音響波を供給することにより前記光学要素に定在波を形成する音響波供給装置と、
前記定在波の周期が６０Ｈｚ以上の周波数で変調されるように前記音響波供給装置を制御する制御装置とをさらに備えることを特徴とする照明装置。
【請求項９】
請求項８に記載の照明装置において、
前記音響波供給装置は、前記光学要素に対して密着して配設されていることを特徴とする照明装置。
【請求項１０】
請求項８に記載の照明装置において、
前記音響波供給装置は、前記光学要素の媒質の屈折率よりも小さな屈折率を有する超音波良伝達物質を介して前記光学要素に配設されていることを特徴とする照明装置。
【請求項１１】
請求項１〜１０のいずれかに記載の照明装置と、
前記照明装置からの光を画像情報に応じて変調する電気光学変調装置と、
前記電気光学変調装置により変調された光を投写する投写光学系とを備えることを特徴とするプロジェクタ。
【発明の詳細な説明】
【技術分野】
【０００１】
本発明は、照明装置及びプロジェクタに関する。
【背景技術】
【０００２】
従来、プロジェクタに用いる照明装置として、ＬＤ（半導体レーザ）光源と、ＬＤ光源からの光をより均一な強度分布を有する光に変換する円錐プリズムとを備える照明装置が知られている（例えば、特許文献１参照。）。円錐プリズムは、ＬＤ光源からの光を光入射面で屈折させることにより、ＬＤ光源からの光のうち比較的明るい中央部分（システム光軸に近い部分）の光と比較的暗い周辺部分（システム光軸から遠い部分）の光とをミキシングして、より均一な面内光強度分布を有する光に変換して射出する機能（以下、光均一化機能という。）を有する。
【０００３】
このような円錐プリズムを備える照明装置においては、円錐プリズムにおける頂点の加工が非常に困難であり、加工の際に頂点部分に割れや欠けが発生しやすいという問題がある。頂点部分に割れや欠けが発生した場合には、割れたり欠けたりした部分で望ましくない反射や屈折等が起こるため、円錐プリズムから射出される光の面内光強度分布が不均一になったり迷光が増加したりしてしまい、結果として投写画像の品質が劣化してしまう。
【０００４】
このような問題を解決するため、従来の照明装置によれば、頂点部分が略球面状に加工された円錐プリズムを用いている。これにより、頂点部分に割れや欠けが発生するのを防止することが可能となるため、頂点部分の割れや欠けに起因して投写画像の品質が劣化するのを防止することが可能となる。また、円錐プリズムにおける頂点部分が略球面状に加工されていることにより、頂点部分で光を屈折させることが可能となるため、光均一化機能を十分に発揮することが可能となる。
【０００５】
【特許文献１】特開２００５−１２８５６３号公報
【発明の開示】
【発明が解決しようとする課題】
【０００６】
しかしながら、従来の照明装置においては、円錐プリズムの光均一化機能を維持しつつ、円錐プリズムの頂点部分を略球面状に精度良く加工することは実際上煩雑であり、円錐プリズムの製造コストを下げることが容易でないという問題があった。
【０００７】
なお、このような問題は光源としてＬＤ光源を用いた場合にのみあるわけではなく、ＬＥＤ（発光ダイオード）などの固体光源を用いた場合全般にわたって生じる問題である。
【０００８】
そこで、本発明は、上記のような問題を解決するためになされたもので、円錐プリズムの頂点部分に割れや欠けが発生するのを防止することが可能で、円錐プリズムの光均一化機能を維持しつつ、円錐プリズムの製造コストを下げることが容易な照明装置を提供することを目的とする。また、本発明は、このような優れた照明装置を備えるプロジェクタを提供することを目的とする。
【課題を解決するための手段】
【０００９】
本発明の照明装置においては、固体光源と、頂部が光入射側に位置するように配置され、前記固体光源からの光をより均一な強度分布を有する光に変換する円錐プリズムとを備え、前記円錐プリズムの頂部は、頂点部分が略平面状にカットされた形状を有し、前記頂部における光入射側の近傍には、前記固体光源からの光を屈折して所定の角度をもって前記円錐プリズムに入射させる機能を有する微小光学素子が配置されていることを特徴とする。
【００１０】
このため、本発明の照明装置によれば、円錐プリズムとして、頂部が略平面状にカットされた形状を有する円錐プリズムを用いているため、円錐プリズムの頂点部分に割れや欠けが発生するのを防止することが可能となる。
また、本発明の照明装置によれば、円錐プリズムの頂部における光入射側の近傍に上記した微小光学素子を配置することとしているため、円錐プリズムの頂部が略平面状にカットされた形状であったとしても、固体光源からの光を所定の角度をもって円錐プリズムの内部に入射させることが可能となる。このため、円錐プリズムの光均一化機能を維持することが可能となる。
また、本発明の照明装置によれば、従来のように頂点部分を略球面状に精度良く加工する必要もなく、円錐プリズムの頂点部分を略平面状にカットするという比較的簡易な加工を行えばよいため、円錐プリズムの製造コストを下げることが容易となる。
【００１１】
したがって、本発明の照明装置は、円錐プリズムの頂点部分に割れや欠けが発生するのを防止することが可能で、円錐プリズムの光均一化機能を維持しつつ、円錐プリズムの製造コストを下げることが容易な照明装置となる。
【００１２】
なお、この明細書において「円錐プリズム」とは、円錐形状のプリズムのみを意味するのではなく、円錐形状のプリズムにおける底面の周縁部分が平面状にカットされた形状を有する構造体も含む意味で用いている。
また、この明細書において「頂部」とは、円錐プリズムの頂点部分近傍のことをいう。
【００１３】
本発明の照明装置においては、前記固体光源として、ＬＤ光源、ＬＥＤ光源又は有機ＥＬ（エレクトロルミネッセンス）からなる光源などを好適に用いることができる。
【００１４】
本発明の照明装置においては、前記微小光学素子における光射出面の面積は、前記頂部における光入射面の面積以上であることが好ましい。
【００１５】
このように構成することにより、固体光源からの光が円錐プリズムの頂部に入射するまでに必ず微小光学素子を通過するような構成とすることが可能となるため、円錐プリズムの光均一化機能を十分に維持することが可能となる。
【００１６】
本発明の照明装置においては、前記微小光学素子は、凸レンズ、凹レンズ及びプリズムのうちいずれかであることが好ましい。
【００１７】
このように構成することにより、一般的に流通している単純な光学要素でもって、円錐プリズムの光均一化機能を維持しつつ、円錐プリズムの製造コストを下げることが容易となる。
なお、微小光学素子として凸レンズ、凹レンズ及びプリズムのいずれを用いたとしても上記効果を得ることが可能であるが、その中でも比較的安価な凸レンズを微小光学素子として用いることがより好ましい。微小光学素子は、固体光源から射出される光束の中心軸周辺の光（円錐プリズムの頂部部分に入射する光）を屈折させることが可能であればよく、レンズ曲面の曲率についてはそれほど高い精度が要求されるものではない。このため、微小光学素子として、比較的安価な凸レンズを用いることが可能となり、円錐プリズムの製造コストをさらに下げることが容易となる。
【００１８】
本発明の照明装置においては、前記微小光学素子は、前記円錐プリズムの頂部に接着されていることが好ましい。
【００１９】
このように構成することにより、微小光学素子と円錐プリズムとの間における望ましくない多重反射が抑制され、光利用効率が低下したり迷光レベルが上昇したりすることがなくなる。また、微小光学素子と円錐プリズムとを容易に一体化することができる。また、微小光学素子と円錐プリズムとの間において、装置組み立て後における位置ずれの発生を未然に防止することができる。
【００２０】
本発明の照明装置においては、前記円錐プリズムの光射出側に配置され、前記円錐プリズムからの光をより均一な強度分布を有する光に変換する導光部材をさらに備えることが好ましい。
【００２１】
このように構成することにより、導光部材の内面における反射によって、被照明領域に照射される照明光束の面内光強度分布をより均一なものにすることが可能となる。
【００２２】
本発明の照明装置においては、前記導光部材は、中空の導光部材であってもよいし、中実の導光部材であってもよい。
【００２３】
中空の導光部材としては、例えば４枚の反射ミラーにおける反射面を内側に向けて貼り合わせた筒状のライトトンネルなどを好適に用いることができる。また、中実の導光部材としては、例えば内面全反射タイプの中実のロッド部材（ガラスロッド）などを好適に用いることができる。
【００２４】
本発明の照明装置においては、前記円錐プリズムの光射出面と前記導光部材の光入射面とは接着されていることが好ましい。
【００２５】
このように構成することにより、円錐プリズムと導光部材との間における望ましくない多重反射が抑制され、光利用効率が低下したり迷光レベルが上昇したりすることがなくなる。また、円錐プリズムと導光部材とを容易に一体化することができる。また、円錐プリズムと導光部材との間において、装置組み立て後における位置ずれの発生を未然に防止することができる。
【００２６】
この場合、円錐プリズム及び導光部材とほぼ同じ屈折率を有する接着剤を用いることが好ましい。
【００２７】
本発明の照明装置においては、前記円錐プリズムの光射出側に配置され、前記円錐プリズムからの光をさらに均一な強度分布を有する光に変換する光均一化光学素子をさらに備えることが好ましい。
【００２８】
このように構成することにより、光均一化光学素子の働きによって、被照明領域に照射される光の面内光強度分布をさらに均一なものとすることが可能となる。
【００２９】
ところで、円錐プリズム及び／又は導光部材によって所定の光均一化効果を得るようにした場合、円錐プリズム及び／又は導光部材の長さを比較的長くする必要がある。これに対し、本発明の照明装置によれば、光均一化光学素子による光均一化効果によって、円錐プリズム及び導光部材の長さを比較的短くすることが可能となり、照明装置の小型化を図ることが可能となる。
【００３０】
本発明の照明装置においては、前記光均一化光学素子は、前記円錐プリズムから射出される光の面内光強度分布に応じて光透過率が調整された光透過率調整部材又は前記円錐プリズムから射出される光を拡散させる光拡散部材であることが好ましい。
【００３１】
光透過率調整部材としては、円錐プリズムから射出される光の面内光強度分布のパターンとは逆パターンの面内光透過率分布を有するＮＤフィルタやダイクロイックフィルタなどを好適に用いることができる。
光拡散部材としては、表面を光拡散面とした部材、光拡散機能を有する粒状体を表面又は内部に含む部材、フレネルレンズ又はマイクロプリズムアレイなどを好適に用いることができる。なお、マイクロプリズムアレイとは、表面にプリズム状物を複数配置したものであり、光拡散機能を有するものである。
【００３２】
本発明の照明装置においては、前記固体光源は、ＬＤ光源であり、光路中に配置されるいずれかの光学要素に配設され、前記光学要素に対して超音波からなる音響波を供給することにより前記光学要素に定在波を形成する音響波供給装置と、前記定在波の周期が６０Ｈｚ以上の周波数で変調されるように前記音響波供給装置を制御する制御装置とをさらに備えることが好ましい。
【００３３】
固体光源がＬＤ光源である場合、ＬＤ光源から射出されるレーザ光は可干渉性を有するため、ＬＤ光源からの光が互いに干渉してスペックルノイズが発生してしまい、被照明領域においてスペックルノイズに起因した照度むらが発生する場合があるという問題がある。
【００３４】
これに対し、本発明の照明装置によれば、光学要素に定在波を形成する音響波供給装置を備えているため、ＬＤ光源からの光が互いに干渉してスペックルノイズが発生したとしても、このようなスペックルノイズを人間の目に見えない速さで高速変調することで被照明領域におけるスペックルノイズに起因した照度むらを低減することが可能となる。
【００３５】
音響波供給装置は、例えば、円錐プリズムに配設してもよいし、円錐プリズムや導光部材とは別に音響波供給装置を配設するための光学要素（例えば光学プリズム）を配置して当該光学要素に配設してもよい。また、照明装置が導光部材を備えている場合には、導光部材に音響波供給装置を配設してもよい。導光部材に音響波供給装置を配設する場合には、導光部材は中実の導光部材であることが好ましい。
【００３６】
本発明の照明装置においては、前記音響波供給装置は、前記光学要素に対して密着して配設されていることが好ましい。
【００３７】
このように構成することにより、光学要素に音響波を効率的に供給することが可能となり、少ないエネルギーでかつ大きな効果をもって被照明領域におけるスペックルノイズに起因した照度むらを低減することが可能となる。
【００３８】
本発明の照明装置においては、前記音響波供給装置は、前記光学要素の媒質の屈折率よりも小さな屈折率を有する超音波良伝達物質を介して前記光学要素に配設されていることが好ましい。
【００３９】
このように構成することによっても、光学要素に音響波を効率的に供給することが可能となり、少ないエネルギーでかつ大きな効果をもって被照明領域におけるスペックルノイズに起因した照度むらを低減することが可能となる。
また、超音波良伝達物質の屈折率が光学要素の媒質の屈折率よりも小さいため、ＬＤ光源からの光が光学要素と超音波良伝達物質との界面においても全反射され、光漏れをなくすことが可能となる。このため、迷光の発生を抑制することが可能となり、光利用効率の低下を抑制することが可能となる。
【００４０】
超音波良伝達物質としては、医療・美容分野等で用いられるジェルを好ましく例示することができる。なお、長期安定性を考慮すると、蒸気圧の小さな物質からなるジェルを用いることがより好ましい。
【００４１】
本発明のプロジェクタは、上記した本発明の照明装置と、前記照明装置からの光を画像情報に応じて変調する電気光学変調装置と、前記電気光学変調装置により変調された光を投写する投写光学系とを備えることを特徴とする。
【００４２】
このため、本発明のプロジェクタによれば、上記した優れた照明装置を備えているため、円錐プリズムの頂点部分に割れや欠けが発生するのを防止することが可能で、円錐プリズムの光均一化機能を維持しつつ、円錐プリズムの製造コストを下げることが容易なプロジェクタとなる。
【発明を実施するための最良の形態】
【００４３】
以下、本発明の照明装置及びプロジェクタについて、図に示す実施の形態に基づいて説明する。
【００４４】
［実施形態１］
図１は、実施形態１に係る照明装置１００及びプロジェクタ１０００を説明するために示す図である。図１（ａ）は照明装置１００及びプロジェクタ１０００の光学系を示す図であり、図１（ｂ）は円錐プリズム２０及び音響波供給装置５０の斜視図である。図２は、実施形態１に係る照明装置１００を説明するために示す図である。図２（ａ）はＬＤ光源１０から射出される照明光束が円錐プリズム２０によってミキシングされる様子を模式的に示す図であり、図２（ｂ）は円錐プリズム２０の頂部２２の周辺を拡大して示す図である。
【００４５】
なお、以下の説明においては、互いに直交する３つの方向をそれぞれｚ軸方向（図１におけるシステム光軸ＯＣ方向）、ｘ軸方向（図１における紙面に平行かつｚ軸に直交する方向）及びｙ軸方向（図１における紙面に垂直かつｚ軸に直交する方向）とする。
【００４６】
実施形態１に係るプロジェクタ１０００は、図１（ａ）に示すように、照明装置１００と、照明装置１００からの光を被照明領域に導光するリレー光学系３１０と、リレー光学系３１０からの光を画像情報に応じて変調する電気光学変調装置としてのマイクロミラー型光変調装置４００と、マイクロミラー型光変調装置４００によって変調された光をスクリーンＳＣＲ等の投写面に投写する投写光学系６００とを備えたプロジェクタである。
【００４７】
実施形態１に係る照明装置１００は、図１に示すように、固体光源としてのＬＤ光源１０と、ＬＤ光源１０からの光を円錐プリズム２０に導く凸レンズ１６と、凸レンズ１６からの光をより均一な強度分布を有する光に変換する円錐プリズム２０と、円錐プリズム２０の光射出側に配置される導光部材３０と、導光部材３０の光射出側に配置される光均一化光学素子としての光透過率調整部材４０と、円錐プリズム２０に配設される音響波供給装置５０と、音響波供給装置５０を制御する制御装置（図示せず。）とを備える。
【００４８】
ＬＤ光源１０は、赤色光を射出する発光部１２ｒと、緑色光を射出する発光部１２ｇと、青色光を射出する発光部１２ｂと、ＬＤ基板１４と、放熱部（図示せず。）とを有する。
【００４９】
なお、ＬＤ光源１０は、図示しない時分割駆動回路に接続されており、時分割駆動回路によってマイクロミラー型光変調装置４００に表示する画像における例えば１フレーム又は１フィールドの周期で発光部１２ｒ，１２ｇ，１２ｂを時分割駆動している。
【００５０】
凸レンズ１６は、例えば非球面レンズからなり、ＬＤ光源１０からの光を略平行光に変換して射出する機能を有する。
【００５１】
円錐プリズム２０は、図２（ａ）に示すように、頂部２２が光入射側に位置するように配置され、凸レンズ１６からの光を光入射面で屈折させることにより、凸レンズ１６からの光のうち比較的明るい中央部分（システム光軸ＯＣに近い部分）の光と比較的暗い周辺部分（システム光軸ＯＣから遠い部分）の光とをミキシングして、より均一な面内光強度分布を有する光に変換して射出する機能（光均一化機能）を有する光学部材である。
円錐プリズム２０は、図１（ｂ）に示すように、底面の周縁部分が平面状にカットされた形状を有する。なお、「底面の周縁部分が平面状にカットされた形状」とは、円錐プリズム２０における側面及び底面の一部が平面状にカットされることにより、底部側（光透過率調整部材４０側）が四角柱となった形状のことを意味している。
円錐プリズム２０の頂部２２は、図２（ｂ）に示すように、頂点部分が略平面状にカットされた形状を有する。なお、「頂部」とは、円錐プリズム２０の頂点部分近傍のことをいう。
【００５２】
円錐プリズム２０の頂部２２における光入射側の近傍には、図１及び図２に示すように、微小光学素子としての凸レンズ２４が接着層Ｃを介して配置されている。凸レンズ２４は、凸レンズ１６から射出される光の中心軸（システム光軸ＯＣ）周辺の光を屈折させて所定の角度をもって円錐プリズム２０の頂部２２及びその周辺部に入射させる機能を有する。円錐プリズム２０の中心軸及び凸レンズ２４の光軸は、システム光軸ＯＣ上に配置されている。
【００５３】
導光部材３０は、円錐プリズム２０からの照明光束を内面で反射させることにより、円錐プリズム２０からの照明光束をより均一な強度分布を有する光に変換する機能を有する光学部材である。導光部材３０としては、例えば、内面が反射面からなる筒状のライトトンネルなどを好適に用いることができる。
【００５４】
導光部材３０の光射出側には、光均一化光学素子として、光透過率調整部材４０が配置されている。光透過率調整部材４０としては、導光部材３０から射出される光の面内光強度分布のパターンとは逆パターンの面内光透過率分布を有するＮＤフィルタなどを好適に用いることができる。なお、「導光部材３０から射出される光の面内光強度分布のパターンとは逆パターンの面内光透過率分布を有するＮＤフィルタ」とは、面内光透過率が、導光部材３０から射出される光の面内光強度が比較的小さな領域に対応する部分に比べて導光部材３０から射出される光の面内光強度が比較的大きな領域に対応する部分が低くなるように構成されたＮＤフィルタのことをいう。
【００５５】
音響波供給装置５０は、図１に示すように、超音波良伝達物質としてのジェルｇを介して円錐プリズム２０の側面（円錐プリズム２０における平面状にカットされた部分）に配設されている。そして、円錐プリズム２０に対して超音波からなる音響波を供給することにより円錐プリズム２０に定在波を形成する。
【００５６】
ジェルｇとしては、円錐プリズム２０の媒質の屈折率よりも小さい屈折率を有するものを用いている。
また、ジェルｇとしては、医療・美容分野等で用いられるジェルを好ましく例示することができる。なお、長期安定性を考慮すると、蒸気圧の小さな物質からなるジェルを用いることがより好ましい。
【００５７】
制御装置（図示せず。）は、定在波の周期が６０Ｈｚ以上の周波数で変調されるように音響波供給装置５０を制御して、音響波供給装置５０から供給される超音波の周波数を６０Ｈｚ以上の周波数で変調する。その結果、例えば、発振周波数が２０万Ｈｚである超音波を３００Ｈｚの変調周波数で変調することにより、１５万Ｈｚ〜２５万Ｈｚの範囲で高速変調された超音波からなる音響波を円錐プリズム２０に対して供給することが可能となる。なお、当該発振周波数及び当該変調周波数の値は、所定範囲内から適宜選択することが可能である。
【００５８】
リレー光学系３１０は、リレーレンズ３１２と、反射ミラー３１４と、集光レンズ３１６とを有し、照明装置１００からの照明光束をマイクロミラー型光変調装置４００の画像形成領域に導く機能を有する。
【００５９】
リレーレンズ３１２は、集光レンズ３１６とともに、照明装置１００からの照明光束を発散させずにマイクロミラー型光変調装置４００の画像形成領域近傍に結像させる機能を有する。なお、リレーレンズ３１２は、複数のレンズを組み合わせた複合レンズで構成されていてもよい。
【００６０】
反射ミラー３１４は、照明装置１００のシステム光軸ＯＣに対して傾斜して配置され、リレーレンズ３１２からの照明光束を曲折し、マイクロミラー型光変調装置４００へと導光する。これにより、プロジェクタをコンパクトにすることができる。
【００６１】
集光レンズ３１６は、リレーレンズ３１２及び反射ミラー３１４からの照明光束をマイクロミラー型光変調装置４００の画像形成領域にほぼ重畳させ、かつ、マイクロミラー型光変調装置４００によって変調された光を投写光学系６００とともに拡大投写するものである。
【００６２】
ここで、光透過率調整部材４０近傍とマイクロミラー型光変調装置４００の画像形成領域近傍とは、リレー光学系３１０により共役関係となる。このため、導光部材３０から射出される照明光束をシステム光軸ＯＣに沿った方向から見たときに、当該照明光束の断面形状は、マイクロミラー型光変調装置４００の画像形成領域の平面形状と略相似形となる。
【００６３】
マイクロミラー型光変調装置４００は、リレー光学系３１０からの光を画像情報に応じて各画素に対応するマイクロミラーで反射することにより、画像を表す画像光を投写光学系６００へと射出する機能を有する反射方向制御型光変調装置である。マイクロミラー型光変調装置４００としては、例えば、ＤＭＤ（デジタルマイクロミラーデバイス）（ＴＩ社の商標）を用いることができる。
【００６４】
マイクロミラー型光変調装置４００から射出される画像光は、投写光学系６００によって拡大投写され、スクリーンＳＣＲ上で大画面画像を形成する。
【００６５】
マイクロミラー型光変調装置４００と投写光学系６００とは、それぞれの中心軸が一致するように配置されている。なお、実施形態１に係るプロジェクタ１０００をあおり投写の構成を有するプロジェクタとする場合には、マイクロミラー型光変調装置４００の中心軸に対して投写光学系６００の投写光軸６００ａｘがあおり方向にずれるように構成することが好ましい。
【００６６】
以上のように構成された実施形態１に係る照明装置１００によれば、円錐プリズムとして、頂部２２が略平面状にカットされた形状を有する円錐プリズム２０を用いているため、円錐プリズム２０の頂点部分に割れや欠けが発生するのを防止することが可能となる。
また、実施形態１に係る照明装置１００によれば、円錐プリズム２０の頂部２２における光入射側の近傍に上記した凸レンズ２４を配置することとしているため、円錐プリズム２０の頂部２２が略平面状にカットされた形状であったとしても、凸レンズ１６からの光を所定の角度をもって円錐プリズム２０の内部に入射させることが可能となる。このため、円錐プリズム２０の光均一化機能を維持することが可能となる。
また、実施形態１に係る照明装置１００によれば、従来のように頂点部分を略球面状に精度良く加工する必要もなく、円錐プリズム２０の頂点部分を略平面状にカットするという比較的簡易な加工を行えばよいため、円錐プリズム２０の製造コストを下げることが容易となる。
【００６７】
したがって、実施形態１に係る照明装置１００は、円錐プリズム２０の頂点部分に割れや欠けが発生するのを防止することが可能で、円錐プリズム２０の光均一化機能を維持しつつ、円錐プリズム２０の製造コストを下げることが容易な照明装置となる。
【００６８】
実施形態１に係る照明装置１００においては、凸レンズ２４における光射出面２４ｏの面積は、頂部２２における光入射面２２ｉの面積よりも大きいため、凸レンズ１６からの光が円錐プリズム２０の頂部２２に入射するまでに必ず凸レンズ２４を通過するような構成とすることが可能となる。このため、円錐プリズム２０の光均一化機能を十分に維持することが可能となる。
【００６９】
実施形態１に係る照明装置１００においては、微小光学素子として、凸レンズ２４を用いている。これにより、一般的に流通している単純な光学要素でもって、円錐プリズム２０の光均一化機能を維持しつつ、円錐プリズム２０の製造コストを下げることが容易となる。また、微小光学素子は、凸レンズ１６から射出される光束の中心軸周辺の光（円錐プリズム２０の頂部２２部分に入射する光）を屈折させることが可能であればよく、レンズ曲面の曲率についてはそれほど高い精度が要求されるものではない。このため、微小光学素子として、比較的安価な凸レンズを用いることが可能となり、円錐プリズム２０の製造コストをさらに下げることが容易となる。
【００７０】
実施形態１に係る照明装置１００においては、凸レンズ２４は、円錐プリズム２０の頂部２２に接着層Ｃを介して接着されている。これにより、凸レンズ２４と円錐プリズム２０との間における望ましくない多重反射が抑制され、光利用効率が低下したり迷光レベルが上昇したりすることがなくなる。また、凸レンズ２４と円錐プリズム２０とを容易に一体化することができる。また、凸レンズ２４と円錐プリズム２０との間において、装置組み立て後における位置ずれの発生を未然に防止することができる。
【００７１】
実施形態１に係る照明装置１００においては、円錐プリズム２０に定在波を形成する音響波供給装置５０と、音響波供給装置５０を上記のように制御する制御装置とを備えているため、例えば時刻Ｔ１においてＬＤ光源１０における各発光部１２ｒ，１２ｇ，１２ｂからの光が互いに干渉して被照明領域にスペックルノイズが発生したとしても、時刻Ｔ２（時刻Ｔ１から所定時間経過した時刻）においては時刻Ｔ１のときとは異なる干渉パターンのスペックルノイズが発生することとなり、所定時間で平均化してみればスペックルノイズが目立たなくなる。すなわち、被照明領域にスペックルノイズが発生したとしても、このようなスペックルノイズを人間の目に見えない速さで高速変調することで被照明領域におけるスペックルノイズに起因した照度むらを低減することが可能となる。
【００７２】
実施形態１に係る照明装置１００においては、音響波供給装置５０は、円錐プリズム２０の媒質の屈折率よりも小さな屈折率を有するジェルｇを介して円錐プリズム２０に配設されているため、円錐プリズム２０に音響波を効率的に供給することが可能となり、少ないエネルギーでかつ大きな効果をもって被照明領域におけるスペックルノイズに起因した照度むらを低減することが可能となる。
また、ジェルｇの屈折率が円錐プリズム２０の媒質の屈折率よりも小さいため、ＬＤ光源１０（凸レンズ１６）からの光が円錐プリズム２０とジェルｇとの界面においても全反射され、光漏れをなくすことが可能となる。このため、迷光の発生を抑制することが可能となり、光利用効率の低下を抑制することが可能となる。
【００７３】
実施形態１に係る照明装置１００においては、円錐プリズム２０の光射出側に配置される導光部材３０をさらに備えるため、導光部材３０の内面における反射によって、被照明領域に照射される照明光束の面内光強度分布をさらに均一なものにすることが可能となる。
【００７４】
実施形態１に係る照明装置１００においては、導光部材３０の光射出側に配置される光透過率調整部材４０をさらに備えるため、光透過率調整部材４０の働きによって、被照明領域に照射される光の面内光強度分布をさらに均一なものとすることが可能となる。
【００７５】
ところで、円錐プリズム２０及び導光部材３０によって所定の光均一化効果を得るようにした場合、円錐プリズム２０及び導光部材３０の長さを比較的長くする必要がある。これに対し、実施形態１に係る照明装置１００によれば、光透過率調整部材４０による光均一化効果によって、円錐プリズム２０及び導光部材３０の長さを比較的短くすることが可能となり、照明装置１００の小型化を図ることが可能となる。
【００７６】
実施形態１に係るプロジェクタ１０００は、上記した優れた照明装置１００を備えているため、円錐プリズム２０の頂点部分に割れや欠けが発生するのを防止することが可能で、円錐プリズム２０の光均一化機能を維持しつつ、円錐プリズム２０の製造コストを下げることが容易なプロジェクタとなる。
【００７７】
なお、実施形態１に係る照明装置１００においては、微小光学素子として凸レンズ２４を用いたが、本発明はこれに限定されるものではなく、例えば次のような変形も可能である。
【００７８】
［変形例１及び２］
図３は、実施形態１の変形例１及び２における微小光学素子を説明するために示す図である。図３（ａ）は変形例１における微小光学素子としての凹レンズ２６ａを示す図であり、図３（ｂ）は変形例２における微小光学素子としてのプリズム２６ｂを示す図である。なお、図３（ａ）及び図３（ｂ）において、図２（ｂ）と同一の部材については同一の符号を付し、詳細な説明は省略する。
【００７９】
変形例１においては、図３（ａ）に示すように、微小光学素子として凹レンズ２６ａを用いている。また、変形例２においては、図３（ｂ）に示すように、微小光学素子としてプリズム２６ｂを用いている。プリズム２６ｂとしては、四角錐形状のものや三角錐形状のものなどを適宜選択することができる。
【００８０】
このように、頂部２２における光入射側の近傍に配置される微小光学素子として、凸レンズ２４に代えて、凹レンズ２４ａ又はプリズム２４ｂを用いた場合であっても、凸レンズ１６（図示せず。）からの光を所定の角度をもって円錐プリズム２０の内部に入射させることが可能となる。このため、円錐プリズム２０の光均一化機能を維持することが可能となる。
【００８１】
また、実施形態１に係る照明装置１００においては、導光部材として、中空の導光部材３０を用いたが、本発明はこれに限定されるものではなく、例えば次のような変形も可能である。
【００８２】
［変形例３］
図４は、実施形態１の変形例３に係る照明装置１００ａを説明するために示す図である。なお、図４において、図１（ａ）と同一の部材については同一の符号を付し、詳細な説明は省略する。
【００８３】
変形例３に係る照明装置１００ａは、基本的には実施形態１に係る照明装置１００とよく似た構成を有するが、導光部材の構成及び音響波供給装置の配設位置が実施形態１に係る照明装置１００とは異なっている。
【００８４】
すなわち、変形例３に係る照明装置１００ａにおいては、図４に示すように、導光部材として、中実の導光部材３０ａを用いている。導光部材３０ａとしては、例えば内面全反射タイプの中実のガラスロッドなどを好適に用いることができる。
また、変形例３に係る照明装置１００ａにおいては、音響波供給装置５０は、円錐プリズム２０に配設されるのに代えて導光部材３０ａに配設され、導光部材３０ａに対して超音波からなる音響波を供給することにより導光部材３０ａに定在波を形成するように構成されている。
【００８５】
なお、ここでは図示による説明を省略するが、円錐プリズム２０の光射出面と導光部材３０ａの光入射面とは接着されている。これにより、円錐プリズム２０と導光部材３０ａとの間における望ましくない多重反射が抑制され、光利用効率が低下したり迷光レベルが上昇したりすることがなくなる。また、円錐プリズム２０と導光部材３０ａとを容易に一体化することができる。また、円錐プリズム２０と導光部材３０ａとの間において、装置組み立て後における位置ずれの発生を未然に防止することができる。
この場合、円錐プリズム２０と導光部材３０ａとを接着するための接着剤としては、円錐プリズム２０及び導光部材３０ａとほぼ同じ屈折率を有する接着剤を用いることが好ましい。
【００８６】
このように構成された変形例３に係る照明装置１００ａによっても、実施形態１に係る照明装置１００の場合と同様に、円錐プリズムとして、頂部２２が略平面状にカットされた形状を有する円錐プリズム２０を用いており、円錐プリズム２０の頂部２２における光入射側の近傍に凸レンズ２４を配置することとしているため、円錐プリズム２０の頂点部分に割れや欠けが発生するのを防止することが可能で、円錐プリズム２０の光均一化機能を維持しつつ、円錐プリズム２０の製造コストを下げることが容易な照明装置となる。
【００８７】
［実施形態２］
図５は、実施形態２に係るプロジェクタ１００２の光学系を示す図である。なお、図５において、図１（ａ）と同一の部材については同一の符号を付し、詳細な説明は省略する。
【００８８】
実施形態２に係るプロジェクタ１００２は、図５に示すように、電気光学変調装置の種類が、実施形態１に係るプロジェクタ１０００とは異なっている。
【００８９】
すなわち、実施形態２に係るプロジェクタ１００２においては、実施形態１で説明したマイクロミラー型光変調装置４００に代えて、３つの液晶装置４０２Ｒ，４０２Ｇ，４０２Ｂを用いている。なお、電気光学変調装置をマイクロミラー型光変調装置４００から３つの液晶装置４０２Ｒ，４０２Ｇ，４０２Ｂに代えたことにともない、照明装置１００からの光を赤色光、緑色光及び青色光の３つの色光に分離して被照明領域に導光する色分離導光光学系２００と、液晶装置４０２Ｒ，４０２Ｇ，４０２Ｂによって変調された色光を合成するクロスダイクロイックプリズム５００とをさらに備えている。照明装置１００と色分離導光光学系２００との間には、リレーレンズ３２０が配置されている。リレーレンズ３２０は、集光レンズ３００Ｒ，３００Ｇとともに、照明装置１００からの照明光束を発散させずに液晶装置４０２Ｒ，４０２Ｇの画像形成領域近傍に結像させる機能を有する。
【００９０】
色分離導光光学系２００は、ダイクロイックミラー２１０，２２０と、反射ミラー２３０，２４０，２５０と、入射側レンズ２６０と、リレーレンズ２７０とを有する。色分離導光光学系２００は、リレーレンズ３２０から射出される照明光束を、赤色光、緑色光及び青色光の３つの色光に分離して、それぞれの色光を照明対象となる３つの液晶装置４０２Ｒ，４０２Ｇ，４０２Ｂに導く機能を有する。
【００９１】
液晶装置４０２Ｒ，４０２Ｇ，４０２Ｂの光路前段には、集光レンズ３００Ｒ，３００Ｇ，３００Ｂが配置されている。
【００９２】
液晶装置４０２Ｒ，４０２Ｇ，４０２Ｂは、画像情報に応じて照明光束を変調するものであり、照明装置１００の照明対象となる。
液晶装置４０２Ｒ，４０２Ｇ，４０２Ｂは、一対の透明なガラス基板に電気光学物質である液晶を密閉封入したものであり、例えば、ポリシリコンＴＦＴをスイッチング素子として、与えられた画像情報に従って、入射側偏光板から射出された１種類の直線偏光の偏光方向を変調する。
【００９３】
また、ここでは図示を省略したが、集光レンズ３００Ｒ，３００Ｇ，３００Ｂと各液晶装置４０２Ｒ，４０２Ｇ，４０２Ｂとの間には、それぞれ入射側偏光板が介在配置され、各液晶装置４０２Ｒ，４０２Ｇ，４０２Ｂとクロスダイクロイックプリズム５００との間には、それぞれ射出側偏光板が介在配置されている。これら入射側偏光板、液晶装置４０２Ｒ，４０２Ｇ，４０２Ｂ及び射出側偏光板によって入射する各色光の光変調が行われる。
【００９４】
クロスダイクロイックプリズム５００は、射出側偏光板から射出された各色光毎に変調された光学像を合成してカラー画像を形成する光学素子である。このクロスダイクロイックプリズム５００は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、赤色光を反射するものであり、他方の界面に形成された誘電体多層膜は、青色光を反射するものである。これらの誘電体多層膜によって赤色光及び青色光は曲折され、緑色光の進行方向と揃えられることにより、３つの色光が合成される。
【００９５】
クロスダイクロイックプリズム５００から射出されたカラー画像は、投写光学系６１０によって拡大投写され、スクリーンＳＣＲ上で大画面画像を形成する。
【００９６】
このように、実施形態２に係るプロジェクタ１００２は、実施形態１に係るプロジェクタ１０００とは、電気光学変調装置の種類が異なるが、実施形態１に係る照明装置１００を備えているため、実施形態１に係るプロジェクタ１０００の場合と同様に、円錐プリズム２０の頂点部分に割れや欠けが発生するのを防止することが可能で、円錐プリズム２０の光均一化機能を維持しつつ、円錐プリズム２０の製造コストを下げることが容易なプロジェクタとなる。
【００９７】
［実施形態３］
図６は、実施形態３に係るプロジェクタ１００４の光学系を示す図である。なお、図６において、図５と同一の部材については同一の符号を付し、詳細な説明は省略する。
【００９８】
実施形態３に係るプロジェクタ１００４は、図６に示すように、照明装置としてそれぞれが異なる色光を射出する３つの照明装置を備える点、色分離導光光学系を備えていない点及びダイクロイックフィルタからなる光透過率調整部材を用いている点で、実施形態２に係るプロジェクタ１００２とは異なっている。
【００９９】
実施形態３に係るプロジェクタ１００４は、図６に示すように、照明装置として、赤色光を射出する照明装置１０２Ｒと、緑色光を射出する照明装置１０２Ｇと、青色光を射出する照明装置１０２Ｂとを備えている。
【０１００】
赤色光用の照明装置１０２Ｒは、赤色光を射出する発光部１１２ｒを有するＬＤ光源１１０Ｒを有する。緑色光用の照明装置１０２Ｇは、緑色光を射出する発光部１１２ｇを有するＬＤ光源１１０Ｇを有する。青色光用の照明装置１０２Ｂは、青色光を射出する発光部１１２ｂを有するＬＤ光源１１０Ｂを有する。
これら３つの照明装置１０２Ｒ，１０２Ｇ，１０２Ｂが、３つの液晶装置４０２Ｒ，４０２Ｇ，４０２Ｂの前段にそれぞれ配置されている。なお、光利用効率の観点から言えば、導光部材１３０Ｒ，１３０Ｇ，１３０Ｂから液晶装置４０２Ｒ，４０２Ｇ，４０２Ｂまでの距離はなるべく短いことが好ましい。
【０１０１】
導光部材１３０Ｒ，１３０Ｇ，１３０Ｂから射出される照明光束をシステム光軸ＯＣに沿った方向から見たときに、当該照明光束の断面形状は、液晶装置４０２Ｒ，４０２Ｇ，４０２Ｂの画像形成領域の大きさに照明マージンの量を付加した大きさの平面形状となっている。
【０１０２】
また、実施形態３に係るプロジェクタ１００４においては、光均一化光学素子として、ダイクロイックフィルタからなる光透過率調整部材１４０Ｒ，１４０Ｇ，１４０Ｂを用いている。ダイクロイックフィルタからなる光透過率調整部材１４０Ｒ，１４０Ｇ，１４０Ｂは、実施形態１で説明したＮＤフィルタからなる光透過率調整部材４０と同様に、導光部材１３０Ｒ，１３０Ｇ，１３０Ｂから射出される光の面内光強度分布のパターンとは逆パターンの面内光透過率分布を有する。
【０１０３】
なお、照明装置１０２Ｒ，１０２Ｇ，１０２Ｂにおけるその他の構成（凸レンズ１１６Ｒ，１１６Ｇ，１１６Ｂ、円錐プリズム１２０Ｒ，１２０Ｇ，１２０Ｂ、頂部に配置される凸レンズ１２４Ｒ，１２４Ｇ，１２４Ｂ、導光部材１３０Ｒ，１３０Ｇ，１３０Ｂ、音響波供給装置１５０Ｒ，１５０Ｇ，１５０Ｂなど）については、実施形態１で説明したものとほぼ同じであるため、詳細な説明は省略する。
【０１０４】
このように、実施形態３に係るプロジェクタ１００４は、実施形態２に係るプロジェクタ１００２とは、照明装置としてそれぞれが異なる色光を射出する３つの照明装置を備える点、色分離導光光学系を備えていない点及びダイクロイックフィルタからなる光透過率調整部材を用いている点で異なるが、実施形態１に係る照明装置１００と同様の構成を有する照明装置１０２Ｒ，１０２Ｇ，１０２Ｂを備えているため、実施形態２に係るプロジェクタ１００２の場合と同様に、円錐プリズム１２０Ｒ，１２０Ｇ，１２０Ｂの頂点部分に割れや欠けが発生するのを防止することが可能で、円錐プリズム１２０Ｒ，１２０Ｇ，１２０Ｂの光均一化機能を維持しつつ、円錐プリズム１２０Ｒ，１２０Ｇ，１２０Ｂの製造コストを下げることが容易なプロジェクタとなる。
【０１０５】
［実施形態４］
図７は、実施形態４に係るプロジェクタ１００６の光学系を示す図である。なお、図７において、図１（ａ）及び図６と同一の部材については同一の符号を付し、詳細な説明は省略する。
【０１０６】
実施形態４に係るプロジェクタ１００６は、図７に示すように、照明装置としてそれぞれが異なる色光を射出する３つの照明装置を備える点及びクロスダイクロイックプリズムをさらに備える点で、実施形態１に係るプロジェクタ１０００とは異なっている。
【０１０７】
すなわち、実施形態４に係るプロジェクタ１００６においては、実施形態１で説明した照明装置１００に代えて、図７に示すように、赤色光、緑色光及び青色光をそれぞれ射出するＬＤ光源１１０Ｒ，１１０Ｇ，１１０Ｂと、ＬＤ光源１１０Ｒ，１１０Ｇ，１１０Ｂ（凸レンズ１１６Ｒ，１１６Ｇ，１１６Ｂ）からの光の光路を合成して円錐プリズム２０に向けて射出するクロスダイクロイックプリズム５１０とを有する照明装置１０４を備えている。
【０１０８】
なお、照明装置１０４におけるダイクロイックプリズム５１０は、実施形態３で説明したクロスダイクロイックプリズム５００と同様の構成を有するため、詳細な説明は省略する。
また、照明装置１０４におけるＬＤ光源１１０Ｒ，１１０Ｇ，１１０Ｂ及び凸レンズ１１６Ｒ，１１６Ｇ，１１６Ｂの構成については、実施形態３で説明したものと同様であり、照明装置１０４における円錐プリズム２０、頂部２２に配置される凸レンズ２４、導光部材３０、光透過率調整部材４０、音響波供給装置５０及び図示しない制御装置の構成については、実施形態１で説明したものと同様であるため、詳細な説明は省略する。
【０１０９】
このように、実施形態４に係るプロジェクタ１００６は、実施形態１に係るプロジェクタ１０００とは、照明装置としてそれぞれが異なる色光を射出する３つの照明装置を備える点及びクロスダイクロイックプリズムをさらに備える点で異なるが、実施形態１に係る照明装置１００と同様の構成を有する照明装置１０４を備えているため、実施形態１に係るプロジェクタ１０００の場合と同様に、円錐プリズム２０の頂点部分に割れや欠けが発生するのを防止することが可能で、円錐プリズム２０の光均一化機能を維持しつつ、円錐プリズム２０の製造コストを下げることが容易なプロジェクタとなる。
【０１１０】
以上、本発明の照明装置及びプロジェクタを上記の各実施形態に基づいて説明したが、本発明は上記の各実施形態に限定されるものではなく、その要旨を逸脱しない範囲において種々の態様において実施することが可能であり、例えば次のような変形も可能である。
【０１１１】
（１）上記各実施形態の照明装置１００，１０２Ｒ，１０２Ｇ，１２０Ｂ，１０４においては、固体光源としてＬＤ光源を用いたが、本発明はこれに限定されるものではなく、ＬＥＤ光源又は有機ＥＬからなる光源も好適に用いることができる。なお、固体光源としてＬＥＤ光源又は有機ＥＬからなる光源を用いた照明装置においては、上記した音響波供給装置及び制御装置は備えていなくてもよい。
【０１１２】
（２）上記各実施形態の照明装置１００，１０２Ｒ，１０２Ｇ，１２０Ｂ，１０４においては、頂部２２における光入射面２２ｉの面積よりも大きな面積の光射出面２４ｏを有する凸レンズ２４を用いたが、本発明はこれに限定されるものではなく、頂部２２における光入射面２２ｉの面積と同じ面積の光射出面を有する凸レンズを用いてもよい。
【０１１３】
（３）上記各実施形態の照明装置１００，１０２Ｒ，１０２Ｇ，１０２Ｂ，１０４においては、光均一化光学素子として、導光部材から射出される光の面内光強度分布に応じて光透過率が調整された光透過率調整部材を用いたが、本発明はこれに限定されるものではなく、導光部材から射出される光を拡散させる光拡散部材を用いてもよい。
【０１１４】
（４）上記各実施形態の照明装置１００，１０２Ｒ，１０２Ｇ，１０２Ｂ，１０４においては、円錐プリズムとして、底面の周縁部分が平面状にカットされた形状を有する円錐プリズムを用いたが、本発明はこれに限定されるものではなく、底面の周縁部分がカットされていない円錐プリズムを用いてもよい。この場合、音響波供給装置は、円錐プリズムにおける凸レンズからの光が通過しない部分に配設されていることが好ましい。
【０１１５】
（５）上記各実施形態の照明装置１００，１０２Ｒ，１０２Ｇ，１０２Ｂ，１０４においては、音響波供給装置は、ジェルを介して円錐プリズムに配設されているが、本発明はこれに限定されるものではなく、円錐プリズムに対して密着して配設されていることも好ましい。また、上記各実施形態の照明装置１００，１０２Ｒ，１０２Ｇ，１０２Ｂ，１０４においては、１つの円錐プリズムに対して１つの音響波供給装置が配設されているが、本発明はこれに限定されるものではなく、１つの円錐プリズムに対して複数の音響波供給装置が配設されていてもよい。
【０１１６】
（６）上記各実施形態の照明装置１００，１０２Ｒ，１０２Ｇ，１０２Ｂ，１０４においては、被照明領域におけるスペックルノイズに起因した照度むらを低減するための手段として、上記した音響波供給装置及び制御装置を用いたが、本発明はこれに限定されるものではなく、公知のスペックル低減手段を用いることにより、被照明領域におけるスペックルノイズに起因した照度むらを低減するように構成してもよい。また、上記各実施形態の照明装置１００，１０２Ｒ，１０２Ｇ，１０２Ｂ，１０４においては、音響波供給装置及び制御装置を備える場合を例示して説明したが、本発明はこれに限定されるものではなく、音響波供給装置及び制御装置を備えていなくてもよい。
【０１１７】
（７）上記実施形態２及び３に係るプロジェクタ１００２，１００４は透過型のプロジェクタであるが、本発明はこれに限定されるものではなく、反射型のプロジェクタにも適用することが可能である。ここで、「透過型」とは、透過型の液晶装置等のように光変調手段としての電気光学変調装置が光を透過するタイプであることを意味しており、「反射型」とは、反射型の液晶装置のように光変調手段としての電気光学変調装置が光を反射するタイプであることを意味している。反射型のプロジェクタにこの発明を適用した場合にも、透過型のプロジェクタと同様の効果を得ることができる。
【０１１８】
（８）上記実施形態２及び３に係るプロジェクタ１００２，１００４においては、３つの液晶装置を用いたプロジェクタを例示して説明したが、本発明はこれに限定されるものではなく、１つ、２つ又は４つ以上の液晶装置を用いたプロジェクタにも適用可能である。
【０１１９】
（９）上記実施形態１及び４に係るプロジェクタ１０００，１００６においては、１つのマイクロミラー型光変調装置を用いたプロジェクタを例示して説明したが、本発明はこれに限定されるものではなく、複数のマイクロミラー型光変調装置を用いたプロジェクタにも適用可能である。
【０１２０】
（１０）本発明は、投写画像を観察する側から投写するフロント投写型プロジェクタに適用する場合にも、投写画像を観察する側とは反対の側から投写するリア投写型プロジェクタに適用する場合にも可能である。
【図面の簡単な説明】
【０１２１】
【図１】実施形態１に係る照明装置１００及びプロジェクタ１０００を説明するために示す図。
【図２】実施形態１に係る照明装置１００を説明するために示す図。
【図３】実施形態１の変形例１及び２における微小光学素子を説明するために示す図。
【図４】実施形態１の変形例３に係る照明装置１００ａを説明するために示す図。
【図５】実施形態２に係るプロジェクタ１００２の光学系を示す図。
【図６】実施形態３に係るプロジェクタ１００４の光学系を示す図。
【図７】実施形態４に係るプロジェクタ１００６の光学系を示す図。
【符号の説明】
【０１２２】
１０，１１０Ｒ，１１０Ｇ，１１０Ｂ…ＬＤ光源、１２ｒ，１２ｇ，１２ｂ，１１２ｒ，１１２ｇ，１１２ｂ…発光部、１４，１１４Ｒ，１１４Ｇ，１１４Ｂ…ＬＤ基板、１６，１１６Ｒ，１１６Ｇ，１１６Ｂ…凸レンズ、２０，１２０Ｒ，１２０Ｇ，１２０Ｂ…円錐プリズム、２２…（円錐プリズムの）頂部、２２ｉ…（頂部の）光入射面、２４，１２４Ｒ，１２４Ｇ，１２４Ｂ…凸レンズ（微小光学素子）、２４ａ…凹レンズ（微小光学素子）、２４ｂ…プリズム（微小光学素子）、２４ｏ…（凸レンズの）光射出面、３０，３０ａ，１３０Ｒ，１３０Ｇ，１３０Ｂ…導光部材、４０，１４０Ｒ，１４０Ｇ，１４０Ｂ…光透過率調整部材、５０，１５０Ｒ，１５０Ｇ，１５０Ｂ…音響波供給装置、１００，１００ａ，１０２Ｒ，１０２Ｇ，１０２Ｂ，１０４…照明装置、２００…色分離導光光学系、２１０，２２０…ダイクロイックミラー、２３０，２４０，２５０，３１４…反射ミラー、２６０…入射側レンズ、２７０，３１２，３２０…リレーレンズ、３００Ｒ，３００Ｇ，３００Ｂ，３１６…集光レンズ、３１０…リレー光学系、４００…マイクロミラー型光変調装置、４０２Ｒ，４０２Ｇ，４０２Ｂ…液晶装置、５００，５１０…クロスダイクロイックプリズム、６００，６１０…投写光学系、６００ａｘ…投写光軸、１０００，１００２，１００４，１００６…プロジェクタ、Ｃ…接着層、ｇ…ジェル、ＯＣ…システム光軸、ＳＣＲ…スクリーン
【図３】
2008015298.tif 000003
【図１】
2008015298.tif 000004
【図２】
2008015298.tif 000005
【図４】
2008015298.tif 000006
【図５】
2008015298.tif 000007
【図６】
2008015298.tif 000008
【図７】
2008015298.tif 000009